(57)【要約】【課題】簡易な構成で、耐久性、信頼性、及びコスト面で有利なドリンクホルダ構造を提供する。【解決手段】ドリンクホルダ構造は、収納部１６を有するボックス部１０と、ドリンクの容器を保持するホルダ部２０と、ボックス部１０及びホルダ部２０を収納するケース部３０と、を備える。また、ボックス部１０には凹部機構１７を有し、ホルダ部２０には凸部機構２７を有する。凹部機構１７及び凸部機構２７は、ボックス部１０とホルダ部２０との間で係合関係を成立させ、かつ該係合関係を解除させる。【選択図】図２
2019156158.tif 000002
【特許請求の範囲】
【請求項１】
収納スペースを有するボックス部と、
ドリンクの容器を保持するホルダ部と、
前記ボックス部及び前記ホルダ部を収納するケース部と、を備え、
前記ボックス部及び前記ホルダ部は、前記ケース部から引出可能かつ前記ケース部へ収納可能に設けられ、
少なくとも前記ホルダ部に、前記ボックス部と前記ホルダ部との間で係合関係を成立させ、かつ該係合関係を解除させる係合機構が設けられている、
ことを特徴とするドリンクホルダ構造。
【請求項２】
前記ボックス部は、前記引出方向に延びる一対の側壁を有し、他方、前記ホルダ部は、少なくとも引出時に、前記一対の側壁の一部と対向する部分を有する一対の側面を有し、
前記係合機構は、前記ホルダ部の前記部分から前記ボックス部の前記側壁側へ突出する凸部機構を有する、
ことを特徴とする請求項１に記載のドリンクホルダ構造。
【請求項３】
前記係合機構は、前記ボックス部の前記側壁において、前記凸部機構と対向する位置に、凹部機構を有する、
ことを特徴とする請求項２に記載のドリンクホルダ構造。
【請求項４】
前記凸部機構は、前記ホルダ部の前記側面の一部が前記ボックス部の前記側壁側へと屈曲されたリブである、
ことを特徴とする請求項２又は３に記載のドリンクホルダ構造。
【請求項５】
前記凹部機構は、前記ボックス部の前記側壁に設けられた溝である、
ことを特徴とする請求項２乃至４のいずれか１項に記載のドリンクホルダ構造。
【発明の詳細な説明】
【技術分野】
【０００１】
本開示は、引出式のドリンクホルダ構造に関する。
【背景技術】
【０００２】
車両の車室内等に装備されるドリンクホルダ構造の例として、ケース内に収納されたボックス及びホルダをスライド移動して使用する引出式のドリンクホルダ構造がある。この構造では、一つの装置でドリンクホルダとして使用したり、ボックスのみを使用したり、目的に応じて使い分けることが可能である。
【０００３】
例えば、ドリンクホルダとして使用したいユーザは、ケースから先ずボックスを引出し、次にホルダを引出して使用する。しかし、ボックス及びホルダの双方を別々に引出す必要があるため、使い勝手が悪くなる。このため、ボックスを引出す際に、ホルダを追従させる構造にすることが考えられるが、今度はボックスのみを使用したいいユーザにとって使い勝手が悪くなる。
【０００４】
上記問題点から、ボックス側に設けた突起と対向させてホルダ側にも突起を設け、ボックス及びホルダをスライド移動させる際に、ホルダ側の突起がボックス側の突起を乗越えた場合はホルダがボックスの移動に追従し、突起を乗越えない場合はホルダがボックスの移動に追従しない構成が開示されている（例えば、特許文献１参照）。
【先行技術文献】
【特許文献】
【０００５】
【特許文献１】特開２０１０−２２８４９４号公報
【発明の概要】
【発明が解決しようとする課題】
【０００６】
しかしながら、上記構成では、ホルダをボックスの移動に追従させるためにはボックス側の突起を乗越える必要があり、この際にボックスに荷重が掛かってしまう。このため、更に耐久性に優れた装置が要望される。
【０００７】
また、ホルダとボックスとをロックしたり、解除したりして追従、非追従を行う装置を追加する方法もあるが、部品点数が増加して信頼性やコスト面で不利になってしまう。
【０００８】
本開示の技術は、簡易な構成で、耐久性、信頼性、及びコスト面で有利なドリンクホルダ構造を提供することを目的とする。
【課題を解決するための手段】
【０００９】
本開示の技術は、収納スペースを有するボックス部と、ドリンクの容器を保持するホルダ部と、前記ボックス部及び前記ホルダ部を収納するケース部と、を備え、前記ボックス部及び前記ホルダ部は、前記ケース部から引出可能かつ前記ケース部へ収納可能に設けられ、少なくとも前記ホルダ部に、前記ボックス部と前記ホルダ部との間で係合関係を成立させ、かつ該係合関係を解除させる係合機構が設けられている、ことを特徴とする。
【００１０】
前記ボックス部は、前記引出方向に延びる一対の側壁を有し、他方、前記ホルダ部は、少なくとも引出時に、前記一対の側壁の一部と対向する部分を有する一対の側面を有し、前記係合機構は、前記ホルダ部の前記部分から前記ボックス部の前記側壁側へ突出する凸部機構を有する、ことが好ましい。
【００１１】
前記係合機構は、前記ボックス部の前記側壁において、前記凸部機構と対向する位置に、凹部機構を有する、ことが好ましい。
【００１２】
前記凸部機構は、前記ホルダ部の前記側面の一部が前記ボックス部の前記側壁側へと屈曲されたリブである、ことが好ましく、前記凹部機構は、前記ボックス部の前記側壁に設けられた溝であることが好ましい。
【発明の効果】
【００１３】
本開示の技術によれば、簡易な構成で、耐久性、信頼性、及びコスト面で有利なドリンクホルダ構造を提供することができる。
【図面の簡単な説明】
【００１４】
【図１】本実施形態に係るドリンクホルダ構造の斜視図である。
【図２】本実施形態に係るドリンクホルダ構造の分解斜視図である。
【図３】本実施形態に係るドリンクホルダ構造のボックス部の斜視図である。
【図４】本実施形態に係るドリンクホルダ構造のホルダ部を裏側から見た斜視図である。
【図５】本実施形態に係るドリンクホルダ構造の係合機構の動作を説明する側面図であり、（Ａ）は非係合時の状態、（Ｂ）は係合時の状態を示す。
【図６】本実施形態に係るドリンクホルダ構造の操作を説明する側面図であり、（Ａ）は収納状態、（Ｂ）はボックス部をケース部から引出した状態、（Ｃ）はさらにホルダ部を引出した状態（非追従状態）、（Ｄ）はボックス部とホルダ部とが係合した状態（追従状態）を示す。
【発明を実施するための形態】
【００１５】
以下、添付図面に基づいて、本実施形態に係るドリンクホルダ構造について説明する。同一の部品には同一の符号を付してあり、それらの名称および機能も同じである。したがって、それらについての詳細な説明は繰返さない。
［本実施形態の構造］
（全体構造）
図１は、本実施形態に係るドリンクホルダ構造の斜視図である。
【００１６】
ドリンクホルダ構造１は、収納スペースを有するボックス部１０と、ドリンクの容器を保持するためのホルダ部２０と、ボックス部１０及びホルダ部２０を収納するケース部３０とを備えている。図１では、ドリンクホルダとして使用する状態を示しており、ボックス部１０及びホルダ部２０がケース部３０から引出されている。これに対して、ボックス部１０やホルダ部２０を使用しない場合は、これらがケース部３０内に収納される。なお、本明細書において、ボックス部１０及びホルダ部２０を引出す側を前側、ケース部３０へ収納する側を後側として説明する。
【００１７】
図２は、本実施形態に係るドリンクホルダ構造の分解斜視図である。
【００１８】
本図に従って、ボックス部１０、ホルダ部２０及びケース部３０の詳細について順に説明する。
（ボックス部１０）
ボックス部１０は、前壁１１、左側壁１２、右側壁１３、底面１５及び後壁１８を有し、箱形状に形成されている。また、前壁１１と後壁１８との間には中間壁１４が設けられ、前壁１１、左側壁１２、右側壁１３及び中間壁１４で区画される領域が収納スペースとしての収納部１６とされる。また、左側壁１２の下部にはボックス部１０をケース部３０からスライド移動させるために、スライド方向に沿って、ガイド凸部１２ａが設けられている。さらに、左側壁１２の中央部には凹部機構１７が形成されている。この凹部機構１７の構造の詳細については後述する。また、図示されていないが、右側壁１３においても左側壁１２と同様に、下部にはガイド凸部が形成され、中央部には凹部機構が形成されている。
（ホルダ部２０）
ホルダ部２０は、ドリンクの容器を支持する支持面２１と、支持面２１とは段差を設けて形成された基面２２とを有し、これらが左側面２４及び右側面２５（図４参照）によって連結されている。また、支持面２１には、ドリンクの容器を保持するための保持孔２６が形成されている。保持孔２６は、２つのドリンクの容器を保持するために、２つの円が連結した孔形状とされているが、保持する物の形態や個数に応じて単独の円形状や他の形状にすることもできる。
【００１９】
また、左側面２４においては、その後側の下部に下突起２４ａが設けられ、下突起２４ａの位置から更に後側の所定距離だけ離間した位置の上部に、上突起２４ｂが設けられている。さらに、左側面２４の中央部には、凹部機構１７と係合する凸部機構２７が設けられている。この凸部機構２７の構造の詳細については後述する。また、図示されていないが、右側面２５においても左側面２４と同様に、下突起、上突起及び凸部機構が形成されている。
（ケース部３０）
ケース部３０は、底面３１と、上面３２と、左側面３３と、右側面３４とを有し、これらの面によって区画された領域がボックス・ホルダ収納部３５とされる。ケース部３０は、その前端と後端が開口されている。また、上面３２は段差状に形成され、前側の高部面３２ａと後側の低部面３２ｂとを有する。
【００２０】
左側面３３には、前側から後側へのほぼ全域にわたって、２つのガイド溝３３ａ，３３ｂが設けられている。このうち、下側ガイド溝３３ａは、ホルダ部２０の左側面２４に設けられた下突起２４ａと嵌合し、他方、上側ガイド溝３３ｂは上突起２４ｂと嵌合する。下側ガイド溝３３ａ及び上側ガイド溝３３ｂは、共に、ホルダ部２０がスライド移動する際に上下方向の動きを規制する。また、左側面３３の内側には、スライド移動方向に沿ってガイド凹部３３ｃが形成されている。ガイド凹部３３ｃは、ボックス部１０の左側壁１２に設けられたガイド凸部１２ａと嵌合し、ボックス部１０がスライド移動する際の上下方向の動きを規制する。
【００２１】
また、図面では示していないが、右側面３４においても左側面３３と同様に、下側ガイド溝、上側ガイド溝及びガイド凹部を有している。
（凹部機構１７）
図３は、本実施形態に係るドリンクホルダ構造のボックス部の斜視図である。
【００２２】
ボックス部１０の左側壁１２は、その主要面を構成する基面１２ｂと、基面１２ｂとは異なる面であって、基面１２ｂよりも内側に形成された従面１２ｃとを含んでいる。基面１２ｂと従面１２ｃとの境界部（即ち、段差部）には、上下方向に延びる鉛直溝１２ｄが形成されている。鉛直溝１２ｄは、凹部機構１７をなし、後述するホルダ部２０の凸部機構２７と係合するように構成されている。また、図面では示していないが、右側壁１３においても左側壁１２と同様に、基面と該基面よりも内側に形成された従面とを有し、それらの境界部には鉛直溝が形成され、凹部機構とされている。
【００２３】
なお、本実施形態では、凹部機構１７の具体例として鉛直溝１２ｄの構造を示したが、これには限定されず、Ｌ字形状等の所定形状を有する溝や貫通孔であってもよい。
（凸部機構２７）
図４は、本実施形態に係るドリンクホルダ構造のホルダ部を裏側から見た斜視図である。
【００２４】
ホルダ部２０の左側面２４の中央部には、その一部が内側に屈曲されて、リブ２４ｃが形成されている。リブ２４ｃは、凸部機構２７をなし、ボックス部１０の左側壁１２に形成された凹部機構１７の鉛直溝１２ｄと係合する。同様に、ホルダ部２０の右側面２５の中央部には、その一部が内側に折り曲げられて、リブ２５ｃが形成されている。リブ２５ｃも凸部機構２７をなし、ボックス部１０の右側壁１３に形成された凹部機構の鉛直溝（不図示）と係合する。
【００２５】
なお、本実施形態では、凸部機構２７の具体例としてリブ２４ｃ，２５ｃの構造を示したが、これには限定されず、左側面２４（あるいは右側面２５）と一体的に形成された突起や左側面２４（あるいは右側面２５）の内側表面に設けられた突起物であってもよい。
【００２６】
また、図４に示すように、ホルダ部２０の基面２２の裏面側には、上下方向に延びるストッパ２８が形成されている。ストッパ２８は、以下のようにストッパとしての機能を有する。即ち、ホルダ部２０がケース部３０から引出されてスライド移動する際に、ホルダ部２０のストッパ２８がボックス部１０の中間壁１４に当接すると、ホルダ部２０の移動が抑止される。
（凹部機構１７及び凸部機構２７による係合機構の動作）
図５は、本実施形態に係るドリンクホルダ構造の係合機構の動作を説明する側面図であり、（Ａ）は非係合時の状態、（Ｂ）は係合時の状態を示す。
【００２７】
図５（Ａ）において、ホルダ部２０の左側面２４に形成されている下突起２４ａは、ケース部３０の左側面３３に形成されている下側ガイド溝３３ａの最前端に位置している。即ち、図５（Ａ）に示す状態は、ホルダ部２０がケース部３０から最も引き出された状態である。この状態の時、ホルダ部２０の凸部機構２７をなすリブ２４ｃ（図４参照）は、ボックス部１０の凹部機構１７をなす鉛直溝１２ｄよりも後側に位置しており、リブ２４ｃと鉛直溝１２ｄとは係合していない。この状態から、ボックス部１０を後側に移動させると、鉛直溝１２ｄの位置が後側に移動してリブ２４ｃの位置と重なる結果、リブ２４ｃは図５（Ａ）の矢印に示す通り鉛直溝１２ｄ内を下方に移動して係止し、図５（Ｂ）に示す如く係合状態となる。
［本実施形態の作用］
図６は、本実施形態に係るドリンクホルダ構造の操作を説明する側面図である。
【００２８】
先ず、ドリンクホルダ構造を使用しない時は、図６（Ａ）に示すように、ボックス部１０及びホルダ部２０がケース部３０内に収納されている。
【００２９】
ドリンクホルダ構造を使用する際は、図６（Ｂ）に示すように、最初にケース部３０からボックス部１０を引出してスライド移動させる。
【００３０】
ボックス部１０の収納部１６（図２，図３参照）のみを用いる場合は、図６（Ｂ）の状態で使用し、使用が終了すれば、ボックス部１０を押込み、図６（Ａ）の収納状態に戻せばよい。
なお、図６（Ａ），（Ｂ）においては、ホルダ部２０は、いずれもケース部３０内に収納された状態であり、ホルダ部２０の左側面２４に形成されている下突起２４ａ及び上突起２４ｂは、それぞれケース部３０の左側面３３に形成されている下側ガイド溝３３ａ及び上側ガイド溝３３ｂの最後端に位置している。
【００３１】
ホルダ部２０を用いる場合は、図６（Ｂ）に示す状態から、更に、ホルダ部２０を引出し、スライド移動させる（図６（Ｃ）参照）。
【００３２】
この状態では、ホルダ部２０の左側面２４に形成されている下突起２４ａ及び上突起２４ｂは、それぞれケース部３０の左側面３３に形成されている下側ガイド溝３３ａ及び上側ガイド溝３３ｂの最前端に位置している。即ち、ホルダ部２０はケース部３０から最も引き出された状態であり、この状態でカップホルダとして使用できる。
【００３３】
この状態の時、ホルダ部２０の凸部機構２７をなすリブ２４ｃ（図４参照）は、ボックス部１０の凹部機構１７をなす鉛直溝１２ｄよりも後側に位置しており、リブ２４ｃと鉛直溝１２ｄとは係合していない。従って、この状態で仮にホルダ部２０のみを後側に押込んでも、ボックス部１０は追従せず、ボックス部１０はそのまま図６（Ｂ）の位置に留まることになる（非追従状態）。また、この状態においては、ホルダ部２０の前側に形成されている爪部２３は、ボックス部１０の上部にあり、ボックス部１０の前壁１１と接触していない。さらに、ボックス部１０の凹部機構１７をなす鉛直溝１２ｄの上端は、ホルダ部２０の爪部２３の下端の高さよりも下方に位置している。
【００３４】
図６（Ｃ）に示す状態からボックス部１０のみを後側に押込むと、鉛直溝１２ｄの位置が後側に移動してリブ２４ｃの位置と重なる結果、リブ２４ｃは図５（Ａ）の矢印に示す通り鉛直溝１２ｄ内を下方に移動して係止し、図６（Ｄ）に示す如く係合状態となる。また、ホルダ部２０の前側に形成されている爪部２３は、ボックス部１０の前壁１１の内側面と当接した状態となる。さらに、ボックス部１０の凹部機構１７をなす鉛直溝１２ｄの上端は、ホルダ部２０の爪部２３の下端の高さとほぼ等しい位置になっている。
【００３５】
従って、図６（Ｄ）に示す状態からボックス部１０をさらに後側に押込むと、ホルダ部２０が追従して一緒に後側に押し込まれる（追従状態）。このため、一度の動作でボックス部１０及びホルダ部２０共にケース部３０内に収納できることになる。また、再度カップホルダとして使用する場合は、ケース部３０からボックス部１０のみを引出すと、係合状態が維持されているため、ホルダ部２０が追従して一緒に引出される（追従状態）。このため、一度の動作でボックス部１０及びホルダ部２０共にケース部３０から取出すことができ、再度ホルダ部２０を引出す必要がない。
【００３６】
これに対して、図６（Ｄ）の状態からホルダ部２０のみを後側に押込むと、この動作によってホルダ部２０とボックス部１０との係合関係が解消される。
このため、ホルダ部２０のみがケース部３０に収納され、ボックス部１０は追従せず、そのまま図６（Ｄ）の位置に留まることになる（非追従状態）。
従って、再度、ボックス部１０の収納部１６（図２，図３参照）のみを使用することができる。
［本実施形態の効果］
本実施形態に係るドリンクホルダ構造１では、ホルダ部２０に凸部機構２７をなすリブ２４ｃが設けられ、ボックス部１０に凹部機構１７をなす鉛直溝１２ｄが設けられている。このため、リブ２４ｃ及び鉛直溝１２ｄの係合時にはホルダ部２０がボックス部１０の移動に追従し、非係合時には追従しない状態となって、簡易な操作でこれらの状態を使い分けることができる。
【００３７】
具体的には、ドリンクホルダとして使用する場合、最初にボックス部１０を引出した後に一度ホルダ部２０を引出しておけば、使用後にボックス部１０のみをケース部３０に押込む操作で係合関係が成立される。このため、次回からの使用時にはホルダ部２０が常にボックス部１０の移動に追従する動きをする。従って、一度の動作でボックス部１０及びホルダ部２０をケース部３０から引出して使用でき、再度ホルダ部２０のみを引出す必要がない。
【００３８】
また、ドリンクホルダとして使用した後であっても、ボックス部１０の収納部１６のみを使用したい場合は、ホルダ部２０のみをケース部３０に押込む操作で係合関係が解消される。このため、ホルダ部２０のみがケース部３０に収納され、ボックス部１０は追従しない。従って、次回からケース部３０からボックス部１０を引出してもホルダ部２０は追従せずに、常にボックス部１０の収納部１６のみを使用することができる。
【００３９】
言い換えれば、本実施形態係るドリンクホルダ構造１では、簡易な構成で、ユーザのひとつ前の動作を記憶できる構造となっている。よって、ユーザが特に意識すること無く、わずらわしい操作から開放される。
【００４０】
また、構造が簡易であるため、商品としての信頼性及びコスト面でも有利となる。
【００４１】
さらに、係合関係を成立及び解消させるための別部材や他の装置を設ける必要がないため、部品点数削減になる。しかも、従来例のように、係合関係を成立及び解消させるために突起部を乗り越える動作が不要であり、構成部材に加重が掛かることがなく、耐久性も向上する。
［他の実施形態］
以上、本開示の実施形態を説明したが、上記実施形態は、例として提示したものであり、発明の範囲を限定することは意図していない。これら実施形態は、その他の様々な形態で実施されることが可能であり、本開示の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４２】
例えば、上記実施形態では、係合機構として、ホルダ部２０に凸部機構２７をなすリブ２４ｃを設け、ボックス部１０に凹部機構１７をなす鉛直溝１２ｄを設けたが、ホルダ部２０に凹部機構を設け、ボックス部１０に凸部機構を設けることもできる。凹部機構としては、鉛直溝のような直線状の溝のみならず、Ｌ字形状等の所定形状を有する溝でも良いし、また、所定形状の貫通孔であってもよい。他方、凸部機構としては、図示のようなリブ構造のみならず、ボックス部１０の壁面と一体的に形成された突起や壁面の内側表面に設けられた突起物であってもよい。
【００４３】
また、係合機構としては、凸部機構のみで、凹部機構がない構成であってもよい。この場合は、例えば、凸部機構として、突起／非突起の状態を交互に作り出せる押しボタンのようなものを用いて、突起状態で対向面を固定できれば、対向面が凹部機構を有しない平面であってもよい。
【００４４】
また、本実施形態に係るドリンクホルダ構造は、車両の車室内に装備される用途だけでなく、車両以外の飲食店や休憩場所等のデスク等に用いられるものであってもよい。
【符号の説明】
【００４５】
１  ドリンクホルダ構造
１０  ボックス部
１１  前壁
１２  左側壁
１２ａ  ガイド凸部
１２ｂ  基面
１２ｃ  従面
１２ｄ  鉛直溝
１３  右側壁
１３ｂ  基壁
１３ｃ  従壁
１４  中間壁
１５  底面
１６  収納部
１７  凹部機構（係合機構）
１８  後壁
２０  ホルダ部
２１  支持面
２２  基面
２３  爪部
２４  左側面
２４ａ  下突起
２４ｂ  上突起
２４ｃ  リブ
２５  右側面
２５ｃ  リブ
２６  ドリンク収納部
２７  凸部機構（係合機構）
２８  ストッパ
３０  ケース部
３１  底面
３２  上面
３２ａ  高部面
３２ｂ  低部面
３３  左側面
３３ａ  下側ガイド溝
３３ｂ  上側ガイド溝
３３ｃ  ガイド凹部
３４  右側面
３５  ボックス・ホルダ収納部
【図１】
2019156158.tif 000003
【図２】
2019156158.tif 000004
【図３】
2019156158.tif 000005
【図４】
2019156158.tif 000006
【図５】
2019156158.tif 000007
【図６】
2019156158.tif 000008